(57)【要約】  広告コンテンツリレーおよびオンラインショッピングのためのネットワーク基盤システムおよびその方法を提供する。ネットワーク基盤の広告コンテンツリレーシステムは、広告商品をディスプレイして、各広告商品を識別する識別子を表出するように構成された多数の広告用ディスプレイ装置と、上記広告商品の識別子を使用して、ネットワークを介して関心の広告商品のコンテンツのリレーを要請する一つ以上のモバイル端末機を含む。管理サーバは、上記モバイル端末機からの識別子に基づいて、どのコンテンツが上記関心の広告商品のコンテンツであるかを認識して、上記認識されたコンテンツを上記ネットワークを介して、上記モバイル端末機にリレーしたことによって、上記モバイル端末機と連動する。モバイル端末機は、上記管理サーバからリレーされた広告商品のコンテンツを再生および検索して、その広告商品を購買する。
2012516488.tif 000002
【特許請求の範囲】
【請求項１】
ネットワーク基盤の広告商品のコンテンツをリレーするシステムにおいて、
それぞれの広告商品たちをディスプレイする多数の広告用ディスプレイ装置として、各ディスプレイ装置および/または各広告商品を区別する識別子を表出するように構成された多数の広告用ディスプレイ装置と、
上記の表出された識別子を使用して、ネットワークを介して一つの関心の広告商品のコンテンツまたは、上記多数の広告用ディスプレイ装置のいずれかの装置でディスプレイされる上記の関心の広告商品のコンテンツを含むコンテンツたちのリレーを要請する一つ以上のモバイル端末機と、
上記の識別子の情報と上記コンテンツたちの情報を管理して、上記モバイル端末機からの上記識別子に基づいて、上記関心のコンテンツたちをディスプレイするディスプレイ装置がどの装置か、および/または上記の関心のコンテンツがどのコンテンツであるかを認識して、上記の関心のコンテンツ、または上記の関心の広告商品のコンテンツを含むコンテンツたちを検索して、上記検索されたコンテンツ、またはコンテンツたちを上記ネットワークを介して、上記モバイル端末機にリレーして、上記モバイル端末機と連動する管理サーバを含んでおり、
上記のモバイル端末機は、上記管理サーバからリレーされたコンテンツまたはコンテンツたちを再生および検索することができて、上記検索されたコンテンツに伴われた広告商品の電子商取引を行うことができることを特徴とするシステム。
【請求項２】
上記管理サーバは、各広告商品のコンテンツおよび、上記各ディスプレイ装置でディスプレイされる上記の広告商品のコンテンツを含む各セットのコンテンツを別の貯蔵場所に貯蔵するコンテンツデータベースを含んでおり、各貯蔵場所は、対応する識別子によって指定されて、
上記管理サーバは、上記モバイル端末機から、上記識別子を上記ネットワークを介して通報受けて、上記識別子によって指定された上記コンテンツデータベース内の貯蔵場所にアクセスして、上記の貯蔵場所で上記コンテンツおよび上記のセットのコンテンツを検索することを特徴とする請求項１に記載のシステム。
【請求項３】
上記ネットワークはインターネットであり、上記の識別子は上記のリレーを要請する時、上記ネットワークに接続されるモバイル端末機に入力される文字またはコードであり、上記管理サーバには上記ドメイン名が割り当てられて、上記の貯蔵場所には上記のドメイン名の下位ディレクトリが割り当てられたことを特徴とする請求項２に記載のシステム。
【請求項４】
上記のネットワークは、移動通信ネットワークであり、前記識別子は、上記リレーを要請する時、上記のモバイル端末機でダイヤルされて、その呼が上記の管理サーバに着信転換される電話番号であり、上記の貯蔵場所には、上記の着信転換された電話番号が割り当てられたことを特徴とする請求項２に記載のシステム。
【請求項５】
上記のネットワークは、移動通信ネットワークであり、 上記管理サーバは、 上記ネットワークから得られた上記モバイル端末機の位置情報を利用し上記モバイル端末機に近い一つ以上のディスプレイ装置たちの識別子を提供して、 上記モバイル端末機は、上記のリレーを要請する時、上記管理サーバから提供された一つ以上のディスプレイ装置たちの識別子の中で、上記の関心の広告商品をディスプレイするディスプレイ装置の識別子を上記管理サーバに通報することを特徴とする請求項２に記載のシステム。
【請求項６】
上記管理サーバは、上記モバイル端末機に選択的にGUI（graphic user interface）プログラムをリレーして、上記GUIプログラムは、上記モバイル端末機で上記リレーされたコンテンツ、またはコンテンツの再生、検索、および電子商取引のためのメニュー画面を生成することを特徴とする請求項1に記載のシステム。
【請求項７】
上記管理サーバは、各広告商品別に製作された一つまたはその以上のUCCを貯蔵するUCCデータベースをさらに含んでおり、上記UCCデータベース内のUCCは、上記モバイル端末機で上記メニュー画面を通じたUCCの要請に応じて、上記モバイル端末機に選択的にリレーされることを特徴とする請求項６に記載のシステム。
【請求項８】
上記管理サーバは、それぞれの上記の広告商品の詳細な情報およびそのショッピング情報を含む商品関連情報を貯蔵する商品情報データベースをさらに具備して、上記商品情報のデータベース内の商品に関する情報は、上記のモバイル端末機で、上記のメニュー画面を通じた商品関連情報の要請に応じて、上記モバイル端末機に選択的にリレーされることを特徴とする請求項６に記載のシステム。
【請求項９】
上記のメニュー画面は、上記メニュー画面で選択された広告商品を販売するオンラインショッピングモールに接続して、上記の広告商品を購買するショッピングモール接続キーを含むことを特徴とする請求項８に記載のシステム。
【請求項１０】
上記モバイル端末機にリレーされた各コンテンツの内容は、上記の広告用ディスプレイ装置にディスプレイされる各広告商品のコンテンツの内容と同一または異なり、上記の他のコンテンツの内容は、上記のコンテンツにより詳細な情報が編集、または追加されたことを特徴とする請求項１に記載のシステム。
【請求項１１】
上記の広告用ディスプレイ装置は、建物の屋内/外に設置された広告用電光板、広告用モニター 、広告用パネルを含むことを特徴とする請求項１に記載のシステム。
【請求項１２】
多数の広告用ディスプレイ装置と、一つ以上のモバイル端末機と、管理サーバを含むネットワーク基盤システムで、上記の広告商品を検索する方法において、
それぞれの上記広告用ディスプレイ装置にそれぞれの広告商品をディスプレイしながら識別子を表現する段階として、上記広告用ディスプレイ装置および/または上記コンテンツは、それぞれ対応する識別子によって区分される上記段階と、
上記のモバイル端末機で、上記表出された識別子を使用して、興味のある広告商品のコンテンツ、または上記の広告用ディスプレイ装置のいずれかの装置でディスプレイされる上記関心の広告コンテンツを含むコンテンツのリレーを要請する段階と、
上記の管理サーバで、上記モバイル端末機からの識別子に基づいて、どのディスプレイ装置が、上記関心の広告商品をディスプレイするか、および/またはどのコンテンツが上記関心の広告商品のコンテンツであるかを認識する段階と、
上記の管理サーバで、上記認識された広告用ディスプレイ装置でディスプレイされる上記の広告商品たちのコンテンツ、または上記関心の広告商品のコンテンツおよび商品関連情報を、上記ネットワークを介して、上記モバイル端末機にリレーする段階と、
上記の管理サーバで、上記モバイル端末機に上記のコンテンツまたはコンテンツおよび商品関連情報を検索するためのメニュー画面を生成するGUIプログラムを提供する段階、および
上記のモバイル端末機で、上記GUIプログラムによって生成されたメニュー画面を介して、上記のコンテンツ、またはコンテンツに伴われた商品および商品関連情報を検索する段階
を含む方法。
【請求項１３】
上記コンテンツのリレー要請段階は、
ネットワークに接続する段階と、
上記ネットワークに接続されたモバイル端末機のアドレスバーに上記の識別子を入力して、上記の管理サーバーに上記の識別子を通報する段階を含んでおり、
上記管理サーバは、各広告商品のコンテンツおよび、各ディスプレイ装置でディスプレイされる上記関心の広告商品のコンテンツを含む各セットのコンテンツを個々の貯蔵場所に貯蔵するコンテンツデータベースが含まれて、各貯蔵場所は対応する識別子によって指定されて、
上記のネットワークはインターネットで、上記のアドレスバーに入力された識別子は文字またはコードで、上記のネットワークでドメイン名に変換されて、
上記管理サーバには、上記ドメイン名が割り当てられて、上記の貯蔵場所には、上記ドメイン名の下位ディレクトリが割り当てられており、
上記管理サーバは、上記の下位ディレクトリによって指定された上記コンテンツデータベース内の貯蔵場所に貯蔵された上記コンテンツおよび上記セットのコンテンツを検索することを特徴とする請求項12に記載の方法。
【請求項１４】
上記コンテンツのリレー要請の段階は、
上記モバイル端末機で上記識別子をダイヤリングして、上記管理サーバに上記識別子を通報する段階を含んでおり、
上記管理サーバは、各広告商品のコンテンツおよび、各ディスプレイ装置でディスプレイされる上記関心の広告商品のコンテンツを含む各セットのコンテンツを、個々の貯蔵場所に貯蔵するコンテンツデータベースを含んで、各貯蔵場所は、対応する識別子によって指定されて、
上記のネットワークは、移動通信ネットワークであり、上記識別子は、上記ネットワークを介して、上記管理サーバーに着信転換される電話番号であり、
上記の貯蔵場所には、上記の着信転換された電話番号が割り当てられており、上記の管理サーバは、上記着信された電話番号によって指定された上記コンテンツデータベース内の貯蔵場所に貯蔵された上記コンテンツおよび上記セットのコンテンツを検索することを特徴とする請求項12に記載の方法。
【請求項１５】
上記コンテンツのリレー要請段階は、
移動通信ネットワークである上記ネットワークで、上記モバイル端末機の位置情報を獲得する段階と、
上記モバイル端末機の位置情報に基づいて、上記管理サーバから上記モバイル端末機に近い一つ以上の広告用ディスプレイ装置たちの識別子たちを上記モバイル端末機に伝達する段階と、
上記のモバイル端末機で、上記管理サーバから伝達された一つ以上の識別子の中で、興味のある広告商品をディスプレイするディスプレイ装置の識別子を選択して、上記の管理サーバに通報する段階を含んでおり、
上記管理サーバは、各ディスプレイ装置でディスプレイされる上記関心の広告商品のコンテンツを含む各セットのコンテンツを、個々の貯蔵場所に貯蔵するコンテンツデータベースが含んで、各貯蔵場所は、対応する識別子によって指定されて、
上記管理サーバは、上記選択された識別子によって指定された上記コンテンツデータベース内の貯蔵場所に貯蔵された上記セットのコンテンツを検索することを特徴とする請求項12に記載の方法。
【請求項１６】
上記の商品関連情報は、上記の各広告商品別に製作された一つ以上のUCC、上記の各広告商品の詳細情報、及び上記各広告商品のショッピング情報を含むことを特徴とする請求項12に記載の方法。
【請求項１７】
上記の方法は、
上記広告コンテンツをリレーする時、選択的にGUI（graphic user interface）プログラムを提供する段階を更に含んでおり、
上記のGUIのプログラムは、上記の商品関連情報に伴われた広告商品を、再生および検索、購入するためのメニュー画面を生成することを特徴とする請求項16に記載の方法。
【請求項１８】
上記のメニュー画面は、上記の広告商品の購買のためのショッピングモールの接続キーが含まれており、
上記の方法は、上記のショッピングモールの接続キーを利用して、上記の広告商品を販売するオンラインショッピングモールに接続して、上記の広告商品を購買する段階をさらに含むことを特徴とする請求項17に記載の方法。
【請求項１９】
上記の広告商品の購買を決定する段階は、同一な広告商品に関心を置いた一つ以上の端末機たちの間のコラボレーションを通じて、上記の広告商品を購買する段階を含むことを特徴とする請求項18に記載の方法。
【請求項２０】
上記の広告商品の購買を決定する段階は、同一な広告商品に関心を置いた一つ以上の端末機たちの間の逆競売を通じて、上記の広告商品を購買する段階を含むことを特徴とする請求項18に記載の方法。
【請求項２１】
上記のモバイル端末機にリレーされたコンテンツの内容は、上記の広告用ディスプレイ装置でディスプレイされる各広告商品のコンテンツの内容と同一、または異なり、上記の他のコンテンツの内容は、上記コンテンツにより詳しい情報が編集または追加されたことを特徴とする請求項12に記載の方法。
【請求項２２】
多数の広告用ディスプレイ装置と、一つ以上のモバイル端末機と、管理サーバと、オンラインショッピングモールを含むネットワーク基盤システムで、広告商品を電子商取引する方法において、
それぞれの上記広告用ディスプレイ装置から、それぞれの広告コンテンツをディスプレイしながらその識別子を表出する段階と、上記各広告商品は対応する識別子によって区分されて;
上記モバイル端末機で、上記表出された識別子を使用して、ネットワークを介して上記の広告商品のうちのいずれかの関心の広告商品を販売するオンラインショッピングモールに接続を要請する段階と、
上記管理サーバーで、上記モバイル端末機から転送された上記の識別子に基づいて、上記関心の広告商品を販売するオンラインショッピングモールを認識して、上記モバイル端末機のショッピングモールの接続要請を上記認識されたオンラインショッピングモールに転送して、上記モバイル端末機と上記認識されたショッピングモールの間のリンクを設定する段階、および
上記のモバイル端末機で、上記リンクされたオンラインショッピングモールで、上記関心の広告商品の購買を修行する段階を含む方法。
【請求項２３】
上記モバイル端末機からの要請に応じて、上記管理サーバで上記モバイル端末機に選択的に上記商品のコンテンツおよび、上記の広告商品の情報を提供する段階と、
上記モバイル端末機からの要請に応じて、管理サーバで上記モバイル端末機に選択的にGUIプログラムを提供する段階と、
上記モバイル端末機で上記のGUIのプログラムを駆動して、上記広告商品のコンテンツをディスプレイするメニュー画面を生成して、上記のメニュー画面を介して、上記広告商品のコンテンツおよび、その情報をレビューする段階、および
上記の広告商品を購買する段階をさらに含むことを特徴とする請求項22に記載の方法。
【請求項２４】
上記の広告商品の情報は、上記の広告商品と連関された一つ以上のUCC、上記の広告商品の詳細情報、上記の広告商品のショッピング情報、及び上記広告商品の割引情報を含むことを特徴とする請求項23に記載の方法。
【請求項２５】
上記のメニュー画面は、上記の広告商品の購買のためのショッピングモールの接続キーを含んでおり、
上記の広告商品を購買する段階は、上記のショッピングモールの接続キーを利用して、上記の広告商品を販売するオンラインショッピングモールに接続して、上記の広告商品を購買する段階を含むことを特徴とする請求項23に記載の方法。
【請求項２６】
上記の広告商品を購買する段階は、同一な広告商品に関心を置いた一つ以上の端末機たちの間にコラボレーションを通じて、上記の広告商品を購買する段階を含むことを特徴とする請求項23に記載の方法。
【請求項２７】
上記の広告商品を購買する段階は、同一な広告商品に関心を置いた一つ以上の端末機たちの間に逆競売を通じて、上記の広告商品を購買する段階を含むことを特徴とする請求項23に記載の方法。
【請求項２８】
広告商品を提示する広告用ディスプレイ装置において、
上記ディスプレイ装置は、上記広告製品および/または上記ディスプレイ装置を識別する識別子を表出して、
上記識別子は、上記広告商品のコンテンツまたは、上記識別子に該当する上記ディスプレイ装置でディスプレイされる上記の広告商品のコンテンツを含むコンテンツたちのリレーを要請して、上記広告商品のコンテンツ、または上記広告商品のコンテンツを含むコンテンツたちを検索することに使用される広告用ディスプレイ装置。
【請求項２９】
上記の識別子は、ディスプレイ装置が設置された位置情報を示すことができることを特徴とする請求項28に記載のディスプレイ装置。
【請求項３０】
広告商品のコンテンツをリレーするネットワーク基盤システムで使用されるモバイル端末機において、上記モバイル端末機は広告商品を提示する多数の広告用ディスプレイ装置によって表出されて、各ディスプレイ装置、および/または広告商品を識別する識別子を利用して、ネットワークを介して、興味のある広告商品のコンテンツ、または上記のディスプレイ装置のいずれかの装置でディスプレイされる上記関心の広告コンテンツを含むコンテンツたちのリレーを管理サーバーに要請して、上記識別子に対応する上記関心の広告商品のコンテンツ、または上記識別子に対応する上記関心の広告商品のコンテンツを含むコンテンツたちを、上記ネットワークを介して受信しており、
上記受信されたコンテンツ、または上記受信されたコンテンツたちを再生、および検索することができて、上記検索されたコンテンツに伴われた広告商品の電子商取引を行うことができるモバイル端末機。
【請求項３１】
上記の識別子は、上記ディスプレイ装置が設置された位置情報を示すことができることを特徴よする請求項30に記載のモバイル端末機。
【発明の詳細な説明】
【技術分野】
【０００１】
本発明は、広告商品のコンテンツをリレーするネットワーク基盤広告コンテンツリレーシステムに関するもので、より詳細には、広告用ディスプレイ装置でディスプレイされている広告商品のコンテンツをモバイル端末機にリレーして、モバイル端末機で広告商品などのコンテンツを再生して関心を置いた広告商品を検索して、その検索された商品のオンラインショッピングを遂行するネットワーク基盤広告コンテンツリレーシステム及びその方法に関するものである。
【背景技術】
【０００２】
広告は、通常の場合、TVのような放送媒体や新聞のような印刷媒体を利用して行われている。放送媒体や印刷媒体を利用する広告方法において、広告は与えられた時間の間、または与えられた空間を介して実行される。
【０００３】
一方、他の広告媒体としてビルの屋内/外に設置された広告用電光板および街のお店たち、地下鉄やバスなどの公共交通機関に設置された小規模の広告用ディスプレイパネル、小型広告用モニターなどを含む。
【０００４】
これらのうち、電光板は大型スクリーンを介して特定の企業またはその企業の商品やイメージ向上のために制作された広告映像をディスプレイしている。 電光板 を利用する広告方法は広告時間や紙面の大きさの制約から脱して、映像コンテンツを広告することができるという長所を持っている。これらの長所により、 電光板 は市民が見ることができるビルの屋内/外、街などに電光板が設置されている。 電光板を利用した広告は、一方的に大衆に広告コンテンツを提供する一方向性広告方式で、広告を視聴している潜在的な大衆との双方向の通信は不可能である。現在、代表的な一方向方式であるTV放送は、デジタル化を介して、視聴者が望む放送番組を貯蔵して、必要に応じて再生する機能に加え、放送番組に対する視聴者の意見をアップロードさせるなどの視聴者との双方向通信機能が大きく強化されている。しかし、 電光板にはこれらの相互機能が具現されないので、 電光板を通じて視聴した広告コンテンツを再び再生して見たり、広告コンテンツを伴う広告商品に関する情報を取得するなどの視聴者と電光板との間に何の連係がなかった。
【０００５】
従って、屋内/外に設置された電光板でディスプレイされる広告商品たちのコンテンツをモバイル端末機に連携させて、モバイル端末機のユーザーがその広告商品を検索して、検出された広告商品をすぐに電子商取引を実行できるようにすると、新たな付加価値の創出が期待されることができる。
【発明の概要】
【発明が解決しようとする課題】
【０００６】
従って、本発明の目的は、広告用ディスプレイ装置でディスプレイされる関心事の広告商品のコンテンツをモバイル端末機にリレーして、モバイル端末機でリレーされた広告商品のコンテンツを再生して関心事の広告商品を検索して、検索された広告商品をオンラインショッピングするネットワーク基盤システムおよび方法を提供することを目的とする。
【０００７】
本発明の他の目的は、モバイル端末機が広告用ディスプレイ装置でディスプレイされる広告商品を販売するオンラインショッピングモールに直接アクセスし、その広告商品をオンラインショッピングできるようにした、ネットワーク基盤システムおよび方法を提供することである。
【課題を解決するための手段】
【０００８】
本発明の一実施形態によると、ネットワーク基盤の広告商品のコンテンツをリレーするシステムは、
それぞれの広告商品たちをディスプレイする多数の広告用ディスプレイ装置として、それぞれのディスプレイ装置と、各広告商品を区別する識別子を表出するように構成された多数の広告用ディスプレイ装置と、
上記の表出された識別子を使用して、ネットワークを介して一つの関心の広告商品のコンテンツまたは、上記多数の広告用ディスプレイ装置たちのいずれの装置でディスプレイされる上記の関心の広告商品のコンテンツを含むコンテンツのリレーを要請する一つ以上のモバイル端末機と、
上記識別子の情報と上記コンテンツの情報を管理して、上記モバイル端末機からの上記識別子に基づいて上記関心のコンテンツたちをディスプレイするディスプー装置がどの装置か、または上記関心のコンテンツがどのコンテンツであるかを認識して、上記の関心のコンテンツ、または上記の関心の広告商品のコンテンツを含むコンテンツたちを検索して、上記検索されたコンテンツ、またはコンテンツたちを上記ネットワークを介して上記モバイル端末機にリレーして上記モバイル端末機と連動する管理サーバを含んでおり、
上記モバイル端末機は、上記管理サーバからリレーされた再生および検索して、上記検索されたコンテンツに随伴された広告商品の電子商取引を行うことを特徴とする。
【０００９】
本発明の別の実施形態によると、多数の広告用ディスプレイ装置と、一つ以上のモバイル端末機と、管理サーバを含むネットワーク基盤システムで上記広告商品を検索する方法は、
それぞれの上記広告用ディスプレイ装置から、それぞれの広告商品をディスプレイしながら識別子を表出する段階として、上記広告用ディスプレイ装置および、上記コンテンツは、それぞれ対応する識別子によって区分される上記段階と、
上記のモバイル端末機で、上記表出された識別子を使用して、興味がある広告商品のコンテンツ、または上記広告用ディスプレイ装置のいずれかの装置でディスプレイされる上記関心の広告コンテンツを含むコンテンツのリレーを要請する段階と、
上記の管理サーバで、上記のモバイル端末機からの識別子に基づいて、どのディスプレイ装置が上記の関心の広告商品をディスプレイするのか、またはどのコンテンツが上記の関心の広告商品のコンテンツであるかを認識する段階と、
上記の管理サーバで、上記認識された広告用のディスプレイ装置でディスプレイされる上記広告商品たちのコンテンツ、または上記関心の広告商品のコンテンツおよび商品の関連情報を、上記ネットワークを介して上記モバイル端末機にリレーする段階と、
上記管理サーバで、上記モバイル端末機で上記のコンテンツまたはコンテンツおよび商品の関連情報を検索するためのメニュー画面を生成するGUIプログラムを提供する段階、および
上記モバイル端末機で、上記GUIプログラムによって生成されたメニュー画面を介して、上記コンテンツまたはコンテンツに随伴された商品および商品の関連情報を検索する段階を含むことを特徴とする。
【００１０】
本発明の別の実施例によると、多数の広告用ディスプレイ装置と、一つ以上のモバイル端末機と、管理サーバとオンラインショッピングモールを含むネットワーク基盤のシステムで、広告商品を電子商取引する方法は、
それぞれの上記広告用ディスプレイ装置から、それぞれの広告コンテンツをディスプレイしながらその識別子を表出する段階と、上記各広告商品は、対応する識別子によって区別されて、
上記モバイル端末機で上記表出された識別子を使用して、ネットワークを介して上記の広告商品のうちのいずれかの関心の広告商品を販売するオンラインショッピングモールへの接続を要請する段階と、
上記の管理サーバで、上記モバイル端末機から転送された上記識別子に基づいて、上記関心の広告商品を販売するオンラインショッピングモールを認識し、上記モバイル端末機のショッピングモールの接続要請を上記認識されたオンラインショッピングモールに転送して、上記モバイル端末機と上記認識されたショッピングモールとの間のリンクを設定する段階、および
上記のモバイル端末機で、上記リンクされたオンラインショッピングモールで、上記関心の広告商品の購入を実行する段階を含むことを特徴とする。
【発明の効果】
【００１１】
前述の通り、本発明によると、広告商品のコンテンツと、広告商品の情報および広告商品のオンラインショッピングの情報をモバイル端末機にリレーすることによって、モバイル端末機のユーザーは、広告商品の様々な付加情報を検索することができて、必要に応じて、すぐ広告商品の購買を要請することができる。そこで、広告用ディスプレイ装置で提供される広告商品の潜在的な視聴者に、より多様なサービスの提供が可能だよいう利点がある。
【００１２】
また、電子商取引の中にモバイル端末機のユーザーたちの間のコラボレーションを誘導し、積極的な付加サービスを引き出すことができて、また、広告用ディスプレイ装置を利用する広告主には商品の広告がすぐに購買につながることができる販売増大化の利点がある。
【図面の簡単な説明】
【００１３】
【図１】本発明の一実施形態によるネットワーク基盤の広告コンテンツのリレーシステムの構成を図示する図である。
【図２】図1に図示された広告用ディスプレイ装置の詳細なブロック構成図である。
【図３】図1に図示されたモバイル端末機の詳細なブロック構成図である。
【図４】モバイル端末機で生成されたメニュー画面の構成を例示的に図示する図である。
【図５】本発明の一実施形態によるネットワーク基盤の広告コンテンツリレーシステムで実行されるコンテンツリレー過程を説明するフローチャートである。
【図６】本発明のネットワーク基盤の広告コンテンツリレーシステムで実行されるリレーされたコンテンツを利用して電子商取引を実行する過程を説明するフローチャートである。
【図７】本発明の別の実施形態に応じて、ネットワーク基盤の広告コンテンツリレーシステムでオンラインショッピングモールの接続を要請する過程を説明するフローチャートである。
【発明を実施するための形態】
【００１４】
以下、添付図面を参照して本発明による実施形態を詳細に説明する。
【００１５】
図1は、発明の一実施形態によるネットワーク基盤の広告コンテンツリレーシステムのブロック構成図を図示する。
【００１６】
図1に図示された本発明によるネットワーク基盤の広告コンテンツリレーシステムは、多数の広告用ディスプレイ装置（100）、一つ以上のモバイル端末機（150）と、管理サーバ（300）、および多数のオンラインショッピングモール（350）を含む。
【００１７】
最初に、本発明を要約して説明すると、それぞれの広告用ディスプレイ装置（100）は、広告商品たちを不特定多数にディスプレイ、または紹介する。ここで、広告商品は、広告される商品のデジタルビデオ、写真、およびテキストのコンテンツを伴う。広告用ディスプレイ装置（100）は、異なる区域内の建物の屋内/外に設置されるLED型電光板、バスターミナルなどに設置されたCRT、LCD、PDP型広告用モニタ、およびバスや地下鉄等や駅に設置されて行き先の案内、広告ポスター、写真、映像などを示すように設置された電子的に駆動可能な小型の広告用パネルなどを含めることもできる。
【００１８】
モバイル端末機（150）は、広告用のディスプレイ装置（100）でディスプレイされた広告商品に関心を持つユーザーが、ネットワーク（170、180）を介して管理サーバ（300）に、関心を持つ広告コンテンツのリレーを要請する。このようなモバイル端末機（150）は、ネットワーク（180）および（170）で、音声通話が可能でありながら、無線通信機能を備えたセルラーフォン、PCSフォン、およびスマートフォンを含むこともできる。また、モバイル端末機は、無線通信機能を備えたノートPC、UMPC、PDAなどを含めることもできる。ネットワーク（170）は、Internet、WLAN（wireless local area network）、WiBro（Wireless Broadband）、ローカルエリアネットワーク（NFC（near field communication））を含んでおり、ネットワーク（180）は、CDMA、GSM、WCDMAなどを含む。
【００１９】
管理サーバ（300）は、ネットワーク（170、180）と通信して、モバイル端末機（150）からコンテンツをリレー要請に応じて広告商品のコンテンツをモバイル端末機（150）にリレーしてあげる。これにより、モバイル端末機（150）は、管理サーバ（300）からリレーされた広告商品たちのコンテンツを再生および検索して、必要に応じて、検索された広告商品をオンラインショップングモール（350）を介して購買要請を行う電子商取引を行うことができる。
【００２０】
本発明によると、広告用ディスプレイ装置（100）は、広告商品をディスプレイしながら、識別子を表出するように動作する。識別子は、各ディスプレイ装置自体の識別子および、各広告商品の識別子を含む。それぞれの識別子は、ディスプレイされる広告商品の間の起設定期間中に表出されたり、広告商品がディスプレイされる間、字幕の形態で表出される。これとは異なり、例えば、小型の広告パネルの場合、広告商品の職別子は、そのパネルの周りに付着された識別子のラベルを介して表出されることもできる。
【００２１】
本発明によると、識別子は、各ディスプレイ装置および、各広告上コンテンツを互いに区分することができる文字（またはコード、または電話番号）を含む。識別子が文字で規定される場合、例えば、"ソウル駅1"、"忠武路2"のように広告用ディスプレイ装置が設置された地域の名称が、それぞれのディスプレイ装置を区分する識別子として使用されることもできる。また、"自動車"、"コンピュータ"のように、該当ディスプレイ装置で広告する商品の名称が、"自動車 - ソウル駅1"、または"コンピュータ - ソウル駅1"のような識別子として使用されることもできる。ここで1、2という数字は、該当区域に配置された一番目、二番目広告用ディスプレイ装置をそれぞれ意味することもできる。
【００２２】
識別子がコードで規定される場合、C01、C02、...などのような約定されたコードが、それぞれのディスプレイ装置を区分する識別子として使用されることもできる。また、A01C1、A02C1、...、B01C2、B02C2...などのような約定されたコードが、該当ディスプレイ装置に広告される広告商品を区分する識別子として使用されることもできる。
【００２３】
識別子が、電話番号に規定される場合、移動通信システムで利用可能な電話番号、例えば、010-123-4567、...または010-123-5678、...が、それぞれの広告用ディスプレイ装置、または各広告商品を区分する識別子として使用されることもできる。
【００２４】
これらの識別子が表出される時、広告ディスプレイ装置には、"興味のある広告商品を検索しようとしたら、識別子'ソウル駅1'または'010-123-4567' を入力してください"という案内メッセージが一緒に表出されることもできる。
【００２５】
再び図1を参照すると、モバイル端末機（150）は、広告用ディスプレイ装置（150）から表出された識別子を使用して、コンテンツリレー要請を要求する。コンテンツリレー要請を表す識別子は、ネットワーク（170、180）を介して管理サーバ（300）に伝送される。
【００２６】
管理サーバ（300）は、識別子データベース（database）（310）、コンテンツデータベース（320）、広告商品情報データベース（340）、UCC（user created contents）データベース（330）および会員情報データベース（340）を含む。
【００２７】
識別子データベース（310）は、広告用ディスプレイ装置に対応する識別子および広告用ディスプレイ装置が設置された位置情報が貯蔵される。コンテンツデータベース（320）は、識別子たちに対応する広告商品たちのコンテンツを貯蔵する多数の貯蔵場所を持っており、 各貯蔵場所は、それぞれのディスプレイ装置たちで表出された識別子によって指定される。 コンテンツデータベース（320）に貯蔵された各コンテンツの内容は、広告用ディスプレイ装置（100）で広告される広告商品のコンテンツの内容と同一であるか、広告用ディスプレイ装置で広告されている内容よりも詳細な動画、画像およびテキストを編集または追加した可能性もある。
【００２８】
広告商品情報データベース（340）は、広告商品たちと関連された詳細情報を貯蔵して、UCCデータベース（330）は、各広告商品に対応し個人が制作した一つ以上のUCCを貯蔵する。会員情報データベース（342）は、本発明のシステムが会員制で運用される場合、本発明のシステムに登録されたモバイル端末機（150）たちの加入者情報を貯蔵する。
【００２９】
また、管理サーバ（300）は、ネットワーク（170、180）を介して、各広告用のディスプレイ装置（100）と通信できるように構成される。たとえば、いずれかの広告用ディスプレイ装置（100）で、広告コンテンツが更新されるか、新規の広告商品が依頼される時に、ネットワーク（170、180）を介して新規または更新された広告商品のコンテンツを遠隔で該当広告用ディスプレイ装置（100）に提供して、広告用ディスプレイ装置（100）でディスプレイされる既存の広告商品のコンテンツが更新されるようにすることができる。この時、広告用ディスプレイ装置（100）で広告商品をディスプレイする順番、および回数に関するシーケンス制御信号も一緒に提供されることができる。
【００３０】
また、管理サーバ（300）は、ネットワーク（170、180）を介してモバイル端末機（150）と通信できるように構成される。管理サーバ（300）が、モバイル端末機（150）からコンテンツリレー要請に対応する識別子を受信すると、管理サーバ（300）は、その識別子によってコンテンツデータベース（320）のどの貯蔵位置が指定されるかを確認して、指定された貯蔵位置に貯蔵されたコンテンツをコンテンツデータベース（320）から検索して、検索されたコンテンツを、再びネットワーク（170、180）を介してモバイル端末機（150）にリレーする。コンテンツがモバイル端末機（150）でリレーされる時、必要に応じて、このコンテンツの再生、検索、および電子商取引を実行するように、モバイル端末機（150）でメニュー画面の構成のためのGUIプログラムが選択的に送信される。また、管理サーバ（300）は、モバイル端末機（150）から検索された広告商品の購入要請がある場合、購買要請された広告商品を販売するオンラインショッピングモール（350）とモバイル端末機（150）の間を連結して、オンラインショッピングを可能にする。モバイル端末機（150）が、識別子を使用して管理サーバ（300）にコンテンツを要請する過程は、次のような様々な例を通して説明する。
【００３１】
最初の例は、文字、またはコードの識別子を使用することである。まず、モバイル端末機（150）で、WAPブラウザを利用してインターネット（170）に連結した後、WAPブラウザのアドレスバーに文字またはコードの職別子を入力することで、広告コンテンツを要請する。本例で、入力された識別子は、自動的にドメイン名に変換されて、そのドメイン名を持つサーバまたはコンピュータと連結される。これらの変換は、文字またはコードがドメイン名に変換され、またIPアドレスに変換されるNLIA（自国語インターネットアドレス）技術によって達成されることができる。 NLIAの詳細な説明は、US2008/0294796に開示されており、本明細書に参照文献として引用される。
【００３２】
このため、本発明で、管理サーバ（300）は、例えば、"adver.com"というドメイン名を持っており、コンテンツデータベース（320）の貯蔵場所は、ドメイン名の下位ディレクトリに対応するファイル名またはホストネーム、例えば、"ソウル駅1"または"ソウル駅1 - 自動車"を持っている。モバイル端末機（150）のWAPブラウザのアドレスバーに"ソウル駅1またはソウル駅の1 - 自動車 "という識別子を入力すると、入力された識別子は自動的に"adver.com/seoulstation1"または"adver.com/car-seoulstation1"というドメイン名に変換される。ここで、 上位ディレクトリ"adver"は、管理サーバ（300）に割り当てられたドメイン名を示しており、 下位ディレクトリ"car- seoulstation1"は、コンテンツデータベース（320）内のどの貯蔵場所に割り当てられたファイル名またはホスト名を示す。したがって、管理サーバ（300）はどのディスプレイ装置、または、どのコンテンツが識別子に対応するのかを認識することができる。
【００３３】
二番目の例は、広告用のディスプレイ装置（100）から表出される電話番号の識別子を使用することである。そのために、コンテンツデータベース（320）の各貯蔵場所は、識別子の電話番号が割り当てられており、各電話番号の呼は、管理サーバ（300）に着信転換されるように構成される。モバイル端末機（150）が電話番号、例えば、'010-123-4567"をダイヤリングして、コンテンツリレーを要請する。この電話番号の呼はネットワーク（180）に渡されて、管理サーバ（300）に着信転換 される。管理サーバ（300）は、 着信転換された呼の電話番号を移動通信システム（260）（図1参照）から提供を受けて、どの広告用ディスプレイ装置、または、どのコンテンツが識別子に対応するのかを認識することができる。
【００３４】
三番目の例は、移動体通信システムで管理されるモバイル端末機（150）の位置情報を利用することである。この例で、モバイル端末機（150）のユーザーは、本発明のシステムに会員として加入されなければならないし、、会員情報は、会員情報データベース（342）に登録されている。
【００３５】
モバイル端末機（150）のユーザーが関心の広告商品のコンテンツを要請しようとすると、モバイル端末機（150）は、ネットワーク（180）を介して管理サーバ（300）へアクセス要請を転送する。このアクセス要請は、管理サーバ（300）から事前にダウンロードした特定のプログラムによって可能である。
【００３６】
これにより、モバイル端末機（150）の位置情報は、移動通信システム、特に、HLR（230）によって管理されて、管理サーバ（300）へ提供される。管理サーバ（300）は、モバイル端末機（150）の位置情報に基づいて、モバイル端末機（150）の近い位置にある一つ以上の広告用ディスプレイ装置（100）たちを識別子データベース（310）から検索して、検索された広告用ディスプレイ装置たちの識別子たちをモバイル端末機（150）へ提供する。モバイル端末機（150）には、管理サーバ（300）から提供された識別子の中で、モバイル端末機に近く位置した、または興味の広告商品を広告するディスプレイ装置（100）で表出される識別子と同一な識別子を選択して、管理サーバ（300）に通報する。こうすることで、管理サーバ（300）は、どのディスプレイ装置が選択された識別子に対応するのかを認識する。
【００３７】
一方、無線送受信機で構成された基地局（Base Transceiver Station：BTS）（240）は、無線アクセスネットワーク（Radio Access Network：RAN）内のモバイル端末機（150）と、無線リンクを介して音声通話を設定して、パケットデータを送/受信する。
【００３８】
移動通信システム（260）は、移動交換局（Mobile Switching Center：MSC）（210）、基地局制御機（Base Station Controller：BSC）（220）、およびHLR（Home Location Register）（230）を含む。基地局制御機（220）は、多数のBTS（240）を管理しながら、無線チャネルの設定（Setup）、周波数ホッピング（Frequency Hopping）、ハンドオーバー（Handover）などの処理を担当する。移動交換局（210）は、モバイル端末機（150）のモビリティ管理、位置登録/管理、認証、ハンドオーバー、ローミングなどを担当する。また、移動交換局（210）は、モバイル端末機（150）からの電話番号の識別子を利用した広告コンテンツリレー要請に応じて、管理サーバ（300）とモバイル端末機（150）の間のデータ送/受信のためのチャネルを形成してくれる。HLR（230）は、本発明システムに会員として加入されたモバイル端末機（150）の位置情報を含んで、加入者の状態、統計および各種サービスに関する情報を管理する。網然洞装置（IWF（Inter- Working Function））（250）は、移動交換局（210）とネットワーク（170）の間に配置されて、移動交換局からの信号をネットワーク（170）で使用可能なパケットデータに相互変換する。
【００３９】
一方、オンラインショッピングモール（350）は、各広告用ディスプレイ装置（100）で広告される商品を販売するオンラインショッピングモールのサーバ、または、既存のオンラインショッピングモールのサーバを含むことができる。
【００４０】
これで、図2を参照すると、広告用ディスプレイ装置の詳細なブロック図が図示される。広告用ディスプレイ装置は、広告商品をディスプレイするディスプレイパネル（122）、広告商品のコンテンツを貯蔵するメモリ（124）、および広告商品がディスプレイされる順序、回数などのシーケンス制御のための制御部（132）を含む。また、広告用ディスプレイ装置（100）は、ネットワーク（170、180）を介して、管理サーバ（300）およびモバイル端末機（150）と、通信のためのRFモジュール（126）、有/無線通信インタフェース（128）、およびローカルエリアネットワークのための近距離通信インターフェイス（130）をさらに含む。
【００４１】
図3は、モバイル端末機（150）の詳細なブロック構成図が図示される。
【００４２】
モバイル端末機（150）は、RFモジュール（152）、メモリ（154）、制御部（156）、コーデク部（162）、オーディオ部（158）、キー入力部（160）、および表示部（166）を含む。
【００４３】
制御部（156）は、無線通信および各種マルチメディア機能の遂行のためのモバイル端末機の全体的な動作を制御する。
【００４４】
RF（Radio Frequency）モジュール（152）は、モバイル端末機（150）がネットワーク（170、180）を介して管理サーバ（300）と連動される時、管理サーバ（300）に広告をコンテンツ要求信号をRF信号に変換して管理サーバ（300）へ無線で転送して、管理サーバ（300）からリレーされた広告商品のコンテンツを含むマルチメディアデータを受信して、モバイル端末機（150）で処理可能なベースバンド周波数帯域の信号に変換する。また、RFモジュール（152）は、ネットワーク（170、180）を介してモバイル端末機（150）とショッピングモール（350）がリンクされている時、モバイル端末機（150）とショッピングモールのサーバ（350）との送受信される電子商取引関連信号をRF信号またはベースバンド帯域の信号に変換して、モバイル端末機（150）が、広告商品に関する電子商取引を可能にする。
【００４５】
コーデク部（Codec）（162）は、制御部（156）の制御下に、広告商品のコンテンツデータを含むマルチメディアデータを圧縮およびデコーディングする。
【００４６】
メモリ（154）は、制御部（156）によって、モバイル端末機（150）の全体的な動作の実行される時に処理されるデータを貯蔵する。特に、メモリ（154）は、管理サーバ（300）から提供された広告商品のコンテンツおよびGUIプログラムを貯蔵する。
【００４７】
キー入力部（160）は、モバイル端末機（150）のユーザーが、所定のキーを押した時に該当するキーデータを発生して、このキーデータはRFモジュール（152）を介してRF信号に変換されて、ネットワーク（170、180）を介して無線送信される。
【００４８】
オーディオ部（158）は、制御部（156）の制御下に、コンテンツ、またはコンテンツに関連したUCCに含まれるオーディオ信号を復調して、スピーカー（SPK）に送出する。即ち、オーディオ部（158）は、モバイル端末機（150）で再生されるコンテンツまたはUCCの映像を視聴するユーザーに映像関連オーディオを聴取するようにする。
【００４９】
表示部（166）は、TFT- LCD（168）と、コーデク部（162）から入力される上記の画像が、TFT- LCD（168）上にディスプレイされるようにTFT- LCD（168）を駆動させるLCD駆動部（166）で構成されて、キー入力部（160）で発生されるキーデータおよび制御部（156）の各種動作制御信号の入力受けて、ディスプレイする。また、表示部（166）は、制御部（156）によってメモリ（154）からGUIプログラムが実行される時、広告製品の再生、検索、およびオンラインショッピングのためのメニュー画面をディスプレイする。
【００５０】
図4は、管理サーバ（300）からモバイル端末機（150）で提供されるGUIプログラムによって形成されるメニュー画面のテンプレートを例示的に図示する。
【００５１】
図4で図示したように、モバイル端末機（150）の表示部（166）に形成されたメニュー画面は、表示部（166）の中央領域（120）を中心に上下左右側面の領域で、コンテンツ検索のための多数のコンテンツ検索キー（102）、コンテンツと関連したUCCの検索のためのUCC検索キー（104）、広告商品の検索のための商品情報検索キー（106）、ショッピングモールの接続のためのショッピングモールの接続キー（108）などの多数のメニューキーを含むように具現されることができる。
【００５２】
また、メニュー画面は、GUIプログラムを利用して、次のようにさまざまな方式で具現されることもできる。例えば、GUIプログラムによって、モバイル端末機（150）上に特定のボタン（例えば、"現在の広告の選択ボタン（未図示）"）が具現されるようにして、モバイル端末機（150）で"現在の広告の選択ボタン"を押されたことで、現在のディスプレイ装置（100）でディスプレイされるコンテンツの動画と、その広告商品の関連情報およびUCC、そしてショッピング情報などが同期的に再生されるようにすることもできる。ここで、ショッピング情報は、ショッピングチャンネルのようにホストがナレーション/音声で説明される商品広報やショッピングに必要な追加の商品コンテンツを含むこともできる。また、広告商品の関連情報は、商品の色、価格、サイズ、特性（製造日時、製造会社）などの情報を含めることもできる。
【００５３】
別の例として、GUIプログラムによって、モバイル端末機（150）上に特定のボタン（例えば、"スライドイメージ選択ボタン（未図示）"）が具現されるようにして、モバイル端末機（150）で"スライドイメージ選択ボタン"が押されることで、モバイル端末機（150）で広告コンテンツたちのスライドがスクロール方式で配列されるように具現されることもできる。このとき、各スライドの画面には、スライドIDが割り当てられて、モバイル端末機（150）で関心のスライドIDが選択されることで、スライドのIDに対応する広告コンテンツがモバイル端末機（150）で再生されるように具現されることもできる。
【００５４】
別の例として、GUIプログラムによって、モバイル端末機（150）上に特定のボタン（例えば、"スライドレビューボタン（未図示）"）が具現されるようにして、モバイル端末機（150）で"スライドレビューボタン"を押されたことで、モバイル端末機（150）に各広告商品のスライド画面が、まるでデジタルカメラで撮った写真をレビューする方式のように、自動的に一枚ずつ渡されるように具現されることもできる。この時、モバイル端末機（150）から関心のスライドが選択されることで、そのスライドに対応するコンテンツが、モバイル端末機（150）で再生されるように具現されることもできる。
【００５５】
従って、GUIプログラムによって形成されたモバイル端末機（150）のメニュー画面上でモバイル端末機（150）の選択に応じて、広告商品の詳細な情報、広告商品と連係されたUCC、商品のショッピング情報などがモバイル端末機（150）で再生および検出されることができて、また、モバイル端末機（150）で選択した広告商品の購買が行われる可能性もある。前述した本発明の一実施形態は、モバイル端末機（150）で識別子を使用して、管理サーバ（300）に関心のコンテンツをリレー要請する方式を開始した。
【００５６】
これとは異なり、本発明の他の実施形態は、モバイル端末機（150）で、管理サーバ（300）へ関心の広告商品のコンテンツを要求することでなく、関心の広告商品を販売するオンラインショッピングモール（350）への接続を、すぐに要求する方式で具現される可能性もある。本発明の他の実施形態は、次の点を除いて、本発明の第1実施形態と実質的に同一である。
【００５７】
本発明の別の実施形態で、広告用ディスプレイ装置（100）は、本発明の一実施形態と同様に広告商品の識別子を表出するが、この識別子は、広告商品を販売することがどのオンラインショッピングモールかを識別するために使用される。それで、本発明の別の実施形態では、興味のある広告商品を販売するオンラインショッピングモールに関する情報および、広告商品のコンテンツを、各貯蔵場所に貯蔵するショッピングモールデータベース（344）をさらに含む。これに関連して、オンラインショッピングモールに関する情報は、URL（uniform resource location）である場合もあり、それぞれの貯蔵場所たちには、貯蔵場所が識別子によって指定されるように、各広告商品に対応する識別子が割り当てられる。
【００５８】
また、本発明の別の実施形態で、管理サーバ（300）は、モバイル端末機（150）からショッピングモールの接続要求に応じてどのオンラインショッピングモールが識別子が割り当てられた広告商品を販売しているかを識別して、モバイル端末機（150）のオンラインショッピングモールの接続要求をURLが割り当てられたオンラインショッピングモールに転送したことによって、モバイル端末機（150）とオンラインショッピングモールが接続されるようにする。本発明の他の実施形態の詳細な説明は、図7を参照して詳細に説明される。
【００５９】
図5は、本発明の一実施形態に応じて、広告コンテンツリレーシステムで修行されるコンテンツリレーの動作を説明するフローチャートである。
【００６０】
まず、段階（502）で、ディスプレイ装置（100）で広告商品がディスプレイされながら、それぞれのディスプレイ装置および、各広告商品の識別子が表出される。モバイル端末機（150）のユーザーがいずれかの広告商品に関心を持っている場合、ユーザーは広告商品のコンテンツのリレーを要請することができる。識別子が文字（またはコード）の場合、モバイル端末機（150）はWAPブラウザを利用して無線連結を修行して、WAPブラウザのアドレスバーに識別子を入力することで、興味のある広告商品のコンテンツをリレー要請する（段階504） 。コンテンツリレー要請に対する識別子は、対応する任意に設定されたドメイン名に変換された後、ネットワーク（170）を介して管理サーバ（300）に転送される。
【００６１】
管理サーバ（300）は、コンテンツのリレー要請の識別子に応じて、識別子に対応するディスプレイ装置、または識別子に対応する広告商品を確認する（段階506）。
【００６２】
次に、管理サーバ（300）は、識別子によって指定されたコンテンツデータベース（320）内の貯蔵場所に貯蔵されたコンテンツを検索する（段階508）。
【００６３】
一方、識別子が電話番号である場合、モバイル端末機（150）は、電話番号を直接にダイヤリングすることで、興味のある広告商品のコンテンツリレーを要請する（段階510）。コンテンツリレー要請のための電話番号の呼は、ネットワーク（180）および移動通信システム（260）を介して、管理サーバ（300）に着信転換される。
【００６４】
次に、管理サーバ（300）は、着信された電話番号を移動通信システム（260）から伝達受けて、識別子に対応するディスプレイ装置（100）、または識別子に対応する広告商品を認識することができる（段階512）。
【００６５】
次の段階で、管理サーバ（300）は、識別子によって指定されたコンテンツデータベース（310）内の貯蔵場所に貯蔵されたコンテンツを検索する（段階514）。
前述の段階（508または514）で検索されたコンテンツは、再度ネットワーク（170または180）を介してモバイル端末機（150）からリレーされて、メモリ（154）に貯蔵される（段階516）。これらの段階で、管理サーバ（300）は、ディスプレイ装置の識別子を受信すると、そのディスプレイ装置でディスプレイされるすべてのコンテンツが一括モバイル端末機（150）にリレーされて、広告商品の 識別子を受信すると、その広告商品のコンテンツのみがモバイル端末機（150）にリレーされる。
【００６６】
この時、管理サーバ（300）は、モバイル端末機（150）にGUIプログラムの転送を必要とするかを聞き合わせて、（段階518）、モバイル端末機（150）でGUIプログラムの転送を必要としたら、GUIプログラムがモバイル端末機（150）へ送信されて、メモリ（154）に貯蔵される（段階520）。
【００６７】
図6は、本発明の実施形態に応じて、広告商品のコンテンツを検索して、興味の広告商品を選択した後、選択された商品を購買する動作を説明するフローチャートである。
【００６８】
まず、モバイル端末機（150）で、広告商品のコンテンツを検索しようとすると（段階600）、メモリ（154）に貯蔵されたGUIプログラムを呼び出した後実行して、モバイル端末機（150）にメニュー画面を生成する（段階602）。
【００６９】
図4を参照して説明したように、同期化方式、スライド方式、写真レビュー方式のいずれかを選択するかに応じて、モバイル端末機（150）の表示部（120）の中央の領域で広告商品のコンテンツが再生される（段階604）。
【００７０】
段階（606）で、コンテンツに対応される一つ以上のUCCが、モバイル端末機（150）の表示部（120）の右側の領域に配列される。
【００７１】
商品検索キー（106）が選択されると（段階608）、モバイル端末機（150）の表示部（120）の中央の領域には、広告商品の付加情報が再生される（段階610）。
【００７２】
万一、UCC検索キー（104）を選択すると（段階612）、モバイル端末機（150）の表示部（120）の中央の領域には、広告商品に対応するUCCが再生されて、UCCの視聴が可能のようにする（段階614）。UCCの検索と関連して、管理サーバ（300）からモバイル端末機（150）で広告商品のコンテンツがリレーされる時、広告商品に関連された完全UCCのリストがリレーされることもできる。この場合、モバイル端末機（150）で、UCCのリストから特定のUCCを選択的に再生することもできる。また、モバイル端末機（150）で、広告商品やUCCを再生する場合、表示部（316）に多数のメニューキーを生成せずに、表示部（316）の全体画面で広告商品、関連する動画、写真、およびUCCのみをディスプレイすることができる。
【００７３】
一方、モバイル端末機（150）で、現在再生される広告商品のオンライン購買のために、ショッピングモール接続キー（108）が選択されると（段階616）、モバイル端末機（150）がネットワーク（170、180）を介してハイパーリンクされたオンラインショッピングモール（350）に接続されて（段階618）、オンライン購買に必要なショッピングの手続きが修行される（段階620）。
【００７４】
図7は、本発明の別の実施形態に応じて、広告商品のコンテンツを受信せずに、識別子を利用して広告商品を販売するオンラインショッピングモールに直接に接続する過程を図示する。
【００７５】
段階（702）で、広告用ディスプレイ装置（100）で、それぞれの広告商品をディスプレイしながら、広告商品の識別子を一緒に露出する。
【００７６】
識別子が文字（またはコード）である場合、段階（704）で、モバイル端末機（150）は、WAPブラウザを利用して無線接続を修行して、興味のある広告商品の識別子をWAPブラウザのアドレスバーに入力して、オンラインショッピングモールへの接続を要請する。ショッピングモールの接続要請の識別子は、ドメイン名に変換されて、ネットワーク（170）を介して管理サーバ（300）に伝達される。
【００７７】
管理サーバ（300）は、ショッピングモールデータベース（344）で、識別子によって指定された貯蔵場所をアクセスして、オンラインショッピングモールの情報を検索することにより、モバイル端末機（150）で関心を持つ商品が、どのオンラインショッピングモールで販売されているかを確認する（段階706）。
【００７８】
一方、段階（708）で、識別子が電話番号である場合、モバイル端末機（150）で電話番号がダイヤリングされて、この電話番号の呼がネットワーク（180）および移動通信システム（260）を介して、管理サーバ（300）に着信転換される。
【００７９】
これにより、管理サーバ（300）は、移動通信システム（260）から着信転換された電話番号の通知を受けた後、識別子によって指定されたショッピングモールデータベース（344）の貯蔵場所をアクセスして、オンラインショッピングモールの情報、すなわち、オンラインショッピングモール（350）のURLを検索することで、モバイル端末機（150）で要請された興味の広告商品がどのオンラインショッピングモールで販売されているかを認識することができる（段階710）。
【００８０】
次に、管理サーバ（300）は、モバイル端末機（150）に関心の商品のオンラインショッピングをすぐに行うかどうかを問い合わせる（段階712）。万一、モバイル端末機（150）のユーザーが、すぐにオンラインショッピングを進行しようとすると、段階（722）に進行し、そうでない場合は、段階（714）に進行する。
【００８１】
段階（714）で、管理サーバ（300）は、モバイル端末機（150）に関心の商品のコンテンツおよびコンテンツに関する情報の提供を受けようかどうかを問い合わせる。モバイル端末機（150）が、広告商品のコンテンツおよびコンテンツ関連情報の提供を望んだら、広告商品のコンテンツおよびコンテンツに関連した情報が、モバイル端末機（150）にリレーされて、メモリ（154）に貯蔵される（段階716）。しかし、そうでなければ、段階（718）で進行する。
【００８２】
段階（718）で、管理サーバ（300）は、モバイル端末機（150）へコンテンツおよびコンテンツ関連情報の検索のためのメニュー画面を生成するGUIプログラムの提供を受けようとしているかどうかを問い合わせて、モバイル端末機（150）が提供を望んだら、GUIプログラムがモバイル端末機（150）に送信されて、メモリ（154）に貯蔵される（段階720）。
【００８３】
その後、段階（722）で、管理サーバ（300）は、モバイル端末機（150）のオンラインショッピングモールの接続要請を、上記認識されたオンラインショッピングモールのサーバ（350）に転送する。
【００８４】
したがって、モバイル端末機（150）が上記認識されたオンラインショッピングモール（350）とリンクされて（段階724）、モバイル端末機（150）はリンクされたオンラインショッピングモール（350）を介して関心の広告商品を購買することができる（段階726）。
【００８５】
前述の段階（716および720）で、広告商品のコンテンツ、コンテンツに関連した情報、およびGUIプログラムを転送受けた後、モバイル端末機（150）は必要に応じて、図6を参照して説明したような過程通じて、コンテンツやコンテンツに関連された情報を検索した後、検索された商品をオンラインショッピングすることもできるだろう。
【００８６】
本発明は、好ましい実施形態を参照して図示されて、開始されたが、本技術で熟練された人々には、以下の請求範囲で規定されるように、本発明の範疇を逸脱することなく、様々な変更及び変形が可能な場合があることを知ることができる。
【産業上の利用可能性】
【００８７】
広告商品のコンテンツをリレーするネットワーク基盤広告コンテンツリレーシステムに適用されることができる。
【図１】
2012516488.tif 000003
【図２】
2012516488.tif 000004
【図３】
2012516488.tif 000005
【図４】
2012516488.tif 000006
【図５】
2012516488.tif 000007
【図６】
2012516488.tif 000008
【図７】
2012516488.tif 000009
【国際調査報告】
2012516488.tif 000010
2012516488.tif 000011
2012516488.tif 000012